(57)【特許請求の範囲】
【請求項１】
上方に張り渡された支持線に、植物を誘引する紐を引き止める植物誘引紐用吊り具であって、
金属線材を屈曲して構成され、前記植物誘引紐を上下方向に折り返し巻回する巻き取り部と、この巻き取り部と同一平面上をそれの上下端にそれぞれ連続して形成される上部直線部及び下部直線部と、上部直線部の上端に連続して形成され前記支持線に掛け止められる係止部と、下部直線部の下端に連続して形成され前記誘引紐を下方へ誘導する引っ掛け部とを具備し、
前記上部直線部と下部直線部とは同一軸線上を延びるように形成され、
前記巻き取り部は、前記上部直線部の下端から鋭角的に屈折して側方へ延出する上部巻き取り辺と、この上部巻き取り辺の先端から鋭角に屈折して下方へ延出する下降辺と、この下降辺の下端から鋭角的に屈折して前記下部直線部の上端に鋭角的に接合する下部巻き取り辺とを具備し、
前記係止部は、前記上部直線部の上端から前記巻き取り部の方向へ鋭角下向きで前記巻き取り部の連続平面に対して鋭角をなすように屈折して延びる係止辺と、この係止辺の下端から鋭角に屈折して前記巻き取り部の連続平面と平行に延び前記上部直線部と間隔を置いて交差するロック辺とを具備し、
前記引っ掛け部は、前記下部直線部の下端から、前記巻き取り部の連続平面に対して直角に屈折して延びることを特徴とする植物誘引紐用吊り具。
【請求項２】
前記巻き取り部の上部巻き取り辺は、前記上部直線部に対して鋭角に直線的に延びることを特徴とする請求項１に記載の植物誘引紐用吊り具。
【請求項３】
前記巻き取り部の下部巻き取り辺は、前記下部直線部に対して鋭角に直線的に延びることを特徴とする請求項１又は２に記載の植物誘引紐用吊り具。
【請求項４】
前記巻き取り部の下降辺は、前記上部直線部と前記下部直線部とに平行に延びることを特徴とする請求項１ないし３のいずれかに記載の植物誘引紐用吊り具。
【発明の詳細な説明】
【技術分野】
【０００１】
本発明は、トマトやキュウリなどの植物を栽培する際に、温室の天井等に張り渡されたワイヤなどの支持線に、植物を誘引する紐を引き止める植物誘引紐用吊り具に関し、支持線に対する引き止め位置を移動自在であり、また誘引紐の巻き取り及び繰り出しが自在とされるもの係る。
【背景技術】
【０００２】
トマトやキュウリなどの野菜では、その生長にともなって自重で枝が地面に垂れ下がるのを防止するために、茎や幹などを誘引紐によって支持線下に吊り下げる栽培方式が普及している。
このような栽培方式において用いられる誘引紐の吊り具として、たとえば特許文献1に記載された植物栽培用紐巻き器が知られている。この紐巻き器は、植物誘引紐が挿通される挿通孔を有する本体と、本体に回転自在に支持され、誘引紐が巻回されるリールと、挿通孔に対して一方側から挿入され、当該挿通孔内で進退移動可能に設けられた紐固定部材とを備える。リールに巻回された誘引紐は、挿通孔に他方側から挿入されて紐固定部材の後退側に掛け渡された状態で、当該挿通孔の他方側から引き出され、紐固定部材は、その前進移動の際に、挿通孔との間に誘引紐を挟持することによって当該誘引紐を固定する一方、その後退移動の際に、当該固定を解除する構成である。この構成により、固定の際にリールに直接荷重がかかることを防止し、長期間の使用においても誘引紐の繰り出しおよび固定を安定的に行うことができるとされる。
【先行技術文献】
【特許文献】
【０００３】
【特許文献１】特開２０１１−２４５４６号公報
【発明の概要】
【発明が解決しようとする課題】
【０００４】
上記従来の植物栽培用紐巻き器は、比較的構造が複雑で、高価なものとなる。
したがって、本発明は、構造が簡易で安価に得られ、使用方法も容易な植物誘引紐用吊り具を提供することを目的としている。
【課題を解決するための手段】
【０００５】
以下、添付図面の符号を参照して説明するが、本発明はこれに限定されるものではない。
上記課題を解決するための、本発明の植物誘引紐用吊り具１は、上方に張り渡される支持線Ｗに、植物Ｐを誘引する紐Ｓを引き止めるものであって、金属線材を屈曲して構成される。吊り具１は、植物誘引紐Ｓを上下方向に折り返し巻回する巻き取り部２と、この巻き取り部２と同一平面上をそれの上下端にそれぞれ連続して形成される上部直線部３及び下部直線部４と、上部直線部３の上端に連続して形成され支持線Ｗに掛け止められる係止部５と、下部直線部４の下端に連続して形成され誘因紐Ｓを下方へ誘導する引っ掛け部６とを具備する。上部直線部３と下部直線部４とは、同一軸線上を延びるように形成される。巻き取り部２は、上部直線部３の下端から鋭角に屈折して側方へ延出する上部巻き取り辺２ａと、この上部巻き取り辺２ａの先端から鋭角に屈折して下方へ延出する下降辺２ｂと、この下降辺２ｂの下端から鋭角に屈折して下部直線部４の上端に鋭角に接合する下部巻き取り辺２ｃとを具備する。係止部５は、上部直線部３の上端から巻き取り部２の方向へ鋭角下向きで巻き取り部２の連続平面に対して鋭角をなすように屈折して延びる係止辺５ａと、この係止辺５ａの下端から鋭角に屈折して巻き取り部２の連続平面と平行に延び上部直線部３と間隔を置いて交差するロック辺５ｂとを具備する。引っ掛け部２ｃは、下部直線部４の下端から、巻き取り部２の連続平面に対して直角に屈折して延びる。
【発明の効果】
【０００６】
本発明の植物誘引紐用吊り具によれば、構造が簡易で安価に得られると共に、使用方法も容易であり、かつ任意の位置で安定して植物を誘引することができる。
【図面の簡単な説明】
【０００７】
【図１】本発明に係る植物誘引紐用吊り具の使用状態の説明図である。
【図２】図１の植物誘引紐用吊り具の使用状態の斜視図である。
【図３】図１の植物誘引紐用吊り具の正面図である。
【図４】図１の植物誘引紐用吊り具の側面図である。
【図５】図１の植物誘引紐用吊り具の移動操作の説明図である。
【発明を実施するための形態】
【０００８】
図面を参照して本発明の実施の形態を説明する。
図１、図２において、本発明の植物誘引紐用吊り具１は、上方に張り渡される支持線Ｗに植物を誘引する紐Ｓを引き止めるものであって、金属線材を屈曲して構成される。
【０００９】
図３，４に示すように、吊り具１は、植物誘引紐Ｓを上下方向に折り返し巻回する巻き取り部２と、この巻き取り部２と同一平面上をそれの上下端にそれぞれ連続して形成される上部直線部３及び下部直線部４と、上部直線部３の上端に連続して形成され支持線Ｗに掛け止められる係止部５と、下部直線部４の下端に連続して形成され誘因紐Ｓを下方へ誘導する引っ掛け部６とを具備する。上部直線部３と下部直線部４とは同一軸線上を延びるように形成される。
【００１０】
巻き取り部２は、上下部直線部３，４に対して側方へ湾曲するように形成され、上部巻き取り辺２ａ、下降辺２ｂ、下部巻き取り辺２ｃを具備する。上部巻き取り辺２ａは、上部直線部３の下端から鋭角に屈折して側方へ延出する。下降辺２ｂは、上部巻き取り辺２ａの先端から鋭角に屈折して下方へ延出する。下部巻き取り辺は、下降辺２ｂの下端から鋭角に屈折して下部直線部２ｃの上端に鋭角に接合する。図において各辺２ａ，２ｂ，２ｃは、いずれも直線状であるが、湾曲状であってもよい。
【００１１】
係止部５は、係止辺５ａとロック辺５ｂとを具備する。係止辺５ａは、上部直線部３の上端から、巻き取り部２の方向へ鋭角下向き、かつ巻き取り部２の連続平面に対して鋭角をなすように屈折して延びる。ロック辺５ｂは、係止辺５ａの下端から、鋭角に屈折して巻き取り部の連続平面と平行に延び、上部直線部３と間隔を置いて交差する。
【００１２】
引っ掛け部６は、下部直線部４の下端から、巻き取り部２の連続平面に対して直角に屈折して延びる。
【００１３】
この植物誘引紐用吊り具１を用いて植物を誘引する場合には、例えば図１，２に示すように、吊り具１の下部巻き取り辺２ｃに誘引紐Ｓの一端を結び、巻き取り部２に適宜長さ分巻き付ける。誘引紐Ｓは、巻き取り部２から、引っ掛け部６に掛けて下方へ引き出す。誘引紐Ｒの他端側は、植物Ｐの茎や幹等に対してクランプＣ等によって係止する。吊り具１の係止部５を支持線Ｗに掛け、支持線５上を適宜位置に移動させて引き止め位置を定める。吊り具１は、図５（Ｂ）に示すように、右側へ傾けて移動させようとする場合には、容易に移動させることができる。しかし、これを図５（Ａ）に示すように、左側へ傾けて移動させようとする場合には、ロック辺５ｂが支持線Ｗに接触して摩擦抵抗が大きくなるので、誘引紐Ｓが左斜め下方向に引かれても安易に移動することがない。誘引紐Ｓは、引っ掛け部６に掛かっているので、軸線が、下部直線部４、上部直線部３とほぼ一致し、ほぼ一線上で支持線Ｗにつながるので、吊り具１が安定する。
【００１４】
植物Ｐの茎や幹等が伸びるのに伴って、吊り具１を支持線Ｗに沿って一方向（図５（Ｂ）において右方）に移動させると共に、巻き取り部２への巻き取り、巻き戻しにより、誘引紐Ｓの長さを調節することができる。
【符号の説明】
【００１５】
１    吊り具
２    巻き取り部
２ａ  上部巻き取り辺
２ｂ  下降辺
２ｃ  下部巻き取り辺
３    上部直線部
４    下部直線部
５    係止部
５ａ  係止辺
５ｂ  ロック辺
６    引っ掛け部
Ｃ    クランプ
Ｐ    植物
Ｓ    誘引紐
Ｗ    支持線
【図１】
0005568587.tif 000002
【図２】
0005568587.tif 000003
【図３】
0005568587.tif 000004
【図４】
0005568587.tif 000005
【図５】
0005568587.tif 000006